【事件の表示】
　特許第２９２４６８４号「光走査装置」の特許に対する特許異議の申立てについて、次のとおり決定する。
【結論】
　訂正を認める。
　特許第２９２４６８４号の請求項２に係る特許を取り消す。
　同請求項１、３に係る特許を維持する。
【理由】
（１）手続きの経緯
　本件特許第２９２４６８４号発明は、平成７年１月１３日に特許出願され、平成１１年５月７日にその発明の特許がなされ、その後、旭光学工業株式会社より特許異議の申立てがなされ、取消理由通知がなされ、その指定期間内である平成１２年６月１３日に訂正請求がなされたものである。
（２）訂正の適否についての判断
（ｉ）特許請求の範囲の訂正
ア．訂正明細書の請求項１に係る発明
　訂正明細書の請求項１に係る発明は、その特許請求の範囲の請求項１に特定された次のとおりのものである。
　「【請求項１】光束を発生する光源及び前記光源からの光束を屈曲させて走査光とする偏向部材が収納されると共に、前記偏向部材によって走査光とされた光束を集光する集光レンズが取付けられる光学箱を有する光走査装置であって、前記光学箱には、走査光の操作方向に沿って長い矩形状の開口部が形成され、前記集光レンズを、前記開口部の内側に嵌め込み、該開口部を閉鎖したことを特徴とする光走査装置。」
イ．訂正明細書の請求項２に係る発明
　訂正明細書の請求項２に係る発明は、その特許請求の範囲の請求項２に特定された次のとおりのものである。
　「【請求項２】光束を発生する光源と、前記光源からの光束を透過させつつ必要な処理を施すレンズ部材と、前記レンズ部材からの光束を屈曲させて走査光とする偏向部材と、前記偏向部材によって走査光とされた光束を集光する集光レンズと、前記光源、前記レンズ部材、前記偏向部材及び前記集光レンズが個別に取付けられる開口部を有すると共に、これら部材を取付けることによりこの開口部が塞がれて密封状態とされる光学箱と、を有することを特徴とする光走査装置。」
ウ．訂正明細書の請求項３に係る発明
　訂正明細書の請求項３に係る発明は、その特許請求の範囲の請求項３に特定された次のとおりのものである。
　「【請求項３】光束を発生する光源と、前記光源からの光束を透過させつつ必要な処理を施すレンズ部材と、前記レンズ部材からの光束を屈曲させて走査光とする偏向部材と、前記偏向部材によって走査光とされた光束を集光する集光レンズと、前記光源、前記レンズ部材、前記偏向部材及び前記集光レンズが外側から取付け位置を調整可能としつつ外側から個別に取付けられる開口部を有すると共に、これら部材を取付けることによりこの開口部が塞がれて密封状態とされる光学箱と、を有することを特徴とする光走査装置。」
（ｉｉ）発明の詳細な説明の訂正
ア．【課題を解決するための手段】における「前記光学箱には、走査光の走査方向に沿って長く開口部が形成され」、「前記光源、前記レンズ部材、前記偏向部材及び前記集光レンズがそれぞれ取付けられる開口部を有すると共に、」、「前記光源、前記レンズ部材、前記偏向部材及び前記集光レンズが外側から取付け位置を調整可能としつつ外側からそれぞれ取付けられる開口部を有すると共に、」を夫々、「前記光学箱には、走査光の走査方向に沿って長い矩形状の開口部が形成され」、「前記光源、前記レンズ部材、前記偏向部材及び前記集光レンズが個別に取付けられる開口部を有すると共に、」、「前記光源、前記レンズ部材、前記偏向部材及び前記集光レンズが外側から取付け位置を調整可能としつつ外側から個別に取付けられる開口部を有すると共に、」に訂正する。
イ．【００１６】の「走査光の走査方向に沿って長く開口部が形成されている。」を、「走査光の走査方向に沿って長い矩形状の開口部が形成されている。」に訂正する。
ウ．【００１９】の「偏向部材及び集光レンズが光学箱の開口部にそれぞれ取付けられて」を「偏向部材及び集光レンズが個別に光学箱の開口部に取付けられて」に訂正する。
エ．【００２２】の「光学箱の外側から開口部に取付けられるので」を「光学箱の外側から個別に開口部に取付けられるので」に訂正する。
（ｉｉｉ）訂正の目的の適否及び拡張・変更の存否等
　上記訂正（ｉ）は、特許請求の範囲の減縮ないし明りょうでない記載の釈明に該当し、願書に添付した明細書又は図面に記載された事項の範囲内のものであり、実質的に特許請求の範囲を拡張又は変更するものではなく、新規事項の追加もない。また、上記訂正（ｉｉ）は、特許請求の範囲の訂正に付随する訂正であるから、発明の詳細な説明の欄中の明瞭でない記載の釈明を目的とするものであり、願書に添付した明細書又は図面に記載された事項の範囲内のものであり、新規事項の追加もない。
（ｉｖ）むすび
　以上のとおりであるから、上記訂正請求は、特
許法等の一部を改正する法律（平成６年法律第１１６号）附則第６条第１項の規定によりなお従前
の例によるとされる、特許法第１２０条の４第２項及び第３項で準用する第１２６条第２−３項の規定に適合するので、当該訂正を認める。
（３）特許異議の申立てについての判断
ア．申立ての理由の概要
　申立人旭光学工業　株式会社は、証拠として甲第１号証（特開昭６１−２２１７２１号公報）を提出し、訂正前の請求項１〜３に係る発明は、特許法第２９条第２項の規定に違反してなされたものであるから、特許を取り消すべき旨主張している。
イ．判断
［引用刊行物に記載された発明］
訂正前明細書の請求項１〜３に対して、当審が通知した取消理由で引用した甲第１号証（特開昭６１−２２１７２１号公報）には、「ｆ・θレンズ４はビス８により外筒ケース２に固定されたレンズ・アダプター７にネジ込みが取付けられている。外筒ケース２は空気中のゴミ、油等により回転多面鏡１の鏡面が汚れるのを防ぐ為、外部の空気から回転多面鏡１を遮断するものである。」（第１頁右欄第１８行〜第２頁左上欄第３行）、「光学調整を簡単且つ短時間で行うことが可能な光偏向装置を提供することにある。」（第２頁右上欄第４〜６行）、「第２図、第３図において１２は半導体レーザ、１６はコリメータレンズ、１７はシリンドリカル・ビーム・エキスパンダ、１３は半導体レーザ１２のベース１５にビス１４で固定された放熱フィンである。コリメータレンズ１６はベース１５に設けられたネジ部にネジ込み固定され、シリンドリカル・ビーム・エキスパンダ１７はコリメータレンズ１６に設けられたネジ部にネジ込み固定されている。さらにベース１５は保持筒１８にビス（図示せず）で固定され、保持筒１８はビス１９で外筒ケース２’に固定されている。」（第２頁右上欄第１６行〜左下欄第６行）、及び「さらに鏡、光源、レンズ系を一体化したことは、従来それぞれのユニットごとに別々に行われていた、あるいはそれぞれのユニットをシステムの基板上に取付けた後に行われていた光学調整を光偏向装置の中で総合的に済ますことができる様にせしめ、光学調整を簡単かつ短時間で済ませられるようにする。また、半導体レーザの出射面、コリメータレンズ、シリンドリカル・ビーム・エキスパンダを光偏向装置の密閉されたケースの内部に収めることができるのでガラスまたはレンズ面にゴミが付着して光量損失を起こすのを防ぐことができるものである。」（第３頁右上欄第１８行〜左下欄第１０行）との記載があり、図面第２図、第３図からは、半導体レーザ１２とシリンドリカル・ビーム・エキスパンダ１７とがベース１５に一体となって外筒ケース２に取り付けられ、ｆ・θレンズ４が外筒ケース２に取り付けられ、回転多面鏡１が、何らかの手段で外筒ケース２に取り付けられていることが窺えるから、結局、光束を発生する半導体レーザ１２及び前記半導体レーザ１２からの光束を屈曲させて走査光とする回転多面鏡１が収納されると共に、前記回転多面鏡１によって走査光とされた光束を集光するｆ・θレンズ４が取付けられる外筒ケース２を有する光走査装置であって、前記外筒ケース２には、開口部が形成され、前記半導体レーザ１２および前記シリンドリカル・ビーム・エキスパンダ１７が開口部に取り付けられ、前記回転多面鏡１が開口部に取り付けられ、前記ｆ・θレンズ４を、前記開口部の内側に取り付け、該開口部を閉鎖したことを特徴とする光走査装置、が記載されている。
〔本件請求項１に係る発明〕
　　本件請求項１に係る発明と、上記刊行物１に記載された発明とを、対比すると、本件請求項１に係る発明の「光源」、「偏向部材」、「集光レンズ」、「光学箱」は、夫々上記刊行物１に記載の発明の「半導体レーザ１２」、「回転多面鏡１」、「ｆ・θレンズ４」、「外筒ケース２」に相当するから、両者は、光束を発生する光源及び前記光源からの光束を屈曲させて走査光とする偏向部材が収納されると共に、前記偏向部材によって走査光とされた光束を集光する集光レンズが取付けられる光学箱を有する光走査装置であって、前記光学箱には、開口部が形成され、前記集光レンズを、前記開口部の内側に取り付け、該開口部を閉鎖したことを特徴とする光走査装置で一致し、
Ａ開口部の形状が、本件請求項１に係る発明は、走査光の走査方向に沿って長い矩形状であるのに対して、上記刊行物１に記載の発明は、「ネジ込み」との記載からみて、円型である点、
Ｂ取り付け手段が、本件請求項１に係る発明は、嵌め込みであるのに対して、上記刊行物１に記載の発明は、ネジ込みである点で相違する。
　本件請求項１に係る発明は、相違点ＡおよびＢの構成を有することによって、明細書記載の課題を解決でき、作用効果を奏するものであるから、上記刊行物１に記載された発明であるとも、上記刊行物１から当業者が容易に推考できたものであるとも言えない。
〔本件請求項２に係る発明〕
　　本件請求項２に係る発明と、上記刊行物１に記載された発明とを、対比すると、本件請求項２に係る発明の「光源」、「レンズ部材」、「偏向部材」、「集光レンズ」、「光学箱」は、夫々上記刊行物１に記載された発明の「半導体レーザ１２」、「シリンドリカル・ビーム・エキスパンダ１７」、「回転多面鏡１」、「ｆ・θレンズ４」、「外筒ケース２」に相当するから、両者は、光束を発生する光源と、前記光源からの光束を透過させつつ必要な処理を施すレンズ部材と、前記レンズ部材からの光束を屈曲させて走査光とする偏向部材と、前記偏向部材によって走査光とされた光束を集光する集光レンズと、前記光源および前記レンズ部材、前記偏向部材及び前記集光レンズが個別に取付けられる開口部を有すると共に、これら部材を取付けることによりこの開口部が塞がれて密封状態とされる光学箱と、を有することを特徴とする光走査装置で一致し、
Ｃ本件請求項２に係る発明は、前記光源、前記レンズ部材、前記偏向部材及び前記集光レンズが個別に取付けられるのに対して、上記刊行物１に記載の発明は、前記半導体レーザ１２および前記シリンドリカル・ビーム・エキスパンダ１７が開口部に取り付けられ、前記回転多面鏡１が開口部に取り付けられ、前記ｆ・θレンズ４が、前記開口部の内側に取り付けられる点で相違するが、前記半導体レーザ１２および前記シリンドリカル・ビーム・エキスパンダ１７、前記回転多面鏡１，前記ｆ・θレンズ４を個別に取り付けることが開示されているのだから、これを前記半導体レーザ１２および前記シリンドリカル・ビーム・エキスパンダ１７にも適用して、個別に取り付けることは、当業者なら容易に推考できたものと言える。
　それゆえ、本件請求項２に係る発明は、上記刊行物１から当業者が容易に推考することができたものと認められるから、特許法第２９条第２項の規定により特許を取り消すべきものである。
〔本件請求項３に係る発明〕
　　本件請求項３に係る発明と、上記刊行物１に記載された発明とを、対比すると、本件請求項３に係る発明の「光源」、「レンズ部材」、「偏向部材」、「集光レンズ」、「光学箱」は、夫々
上記刊行物１に記載の発明の「半導体レーザ１２」、「シリンドリカル・ビーム・エキスパンダ１７」、「回転多面鏡１」、「ｆ・θレンズ４」、「外筒ケース２」に相当するから、両者は、光束を発生する光源と、前記光源からの光束を透過させつつ必要な処理を施すレンズ部材と、前記レンズ部材からの光束を屈曲させて走査光とする偏向部材と、前記偏向部材によって走査光とされた光束を集光する集光レンズと、前記光源および前記レンズ部材、前記偏向部材及び前記集光レンズが取付けられる開口部を有すると共に、これら部材を取付けることによりこの開口部が塞がれて密封状態とされる光学箱と、を有することを特徴とする光走査装置で一致し、
Ｄ本件請求項３に係る発明は、前記光源、前記レンズ部材、前記偏向部材及び前記集光レンズが外側から取付け位置を調整可能としつつ外側から個別に取付けられるのに対して、上記刊行物１に記載の発明は、前記半導体レーザ１２および前記シリンドリカル・ビーム・エキスパンダ１７が開口部に取り付けられ、前記回転多面鏡１が開口部に取り付けられ、前記ｆ・θレンズ４を、前記開口部の内側に取り付けられた点で相違する。
　上記刊行物１に記載の発明は、前記半導体レーザ１２および前記シリンドリカル・ビーム・エキスパンダ１７が一体となって取り付けられるから個別に取り付けられるとは言えず、また、半導体レーザ１２，前記シリンドリカル・ビーム・エキスパンダ１７、前記回転多面鏡１、前記ｆ・θレンズ４が取り付け位置を調節可能との開示がない。
　本件請求項３に係る発明は、相違点Ｄの構成を有することによって、明細書記載の課題を解決でき、作用効果を奏するものであるから、上記刊行物１に記載された発明であるとも、上記刊行物１から当業者が容易に推考できたものであるとも言えない。
６．むすび
　以上のとおりであるから、請求項２に係る発明の特許は、特許法第１１３条第１項第２号に該当する。
　また、特許異議申立の理由及び証拠によっては、本件請求項１および３に係る発明の特許を取り消すことはできない。
　また、他に本件請求項１および３に係る発明の特許を取り消すべき理由を発見しない。
　よって、結論のとおり決定する。
【異議決定日】
平成１２年８月２４日（２０００．８．２４）
【訂正の要旨】
訂正の要旨
特許請求の範囲の減縮ないし明りょうでない記載の釈明を目的として、下記（１）〜（３）のように特許請求の範囲を訂正する。また、特許請求の範囲の訂正に応じて、発明の詳細な説明についても、適合性を持たせるために下記（４）〜（７）のように訂正する。
（１）特許請求の範囲の請求項１を次のとおり訂正する。
　「【請求項１】光束を発生する光源及び前記光源からの光束を屈曲させて走査光とする偏向部材が収納されると共に、前記偏向部材によって走査光とされた光束を集光する集光レンズが取付けられる光学箱を有する光走査装置であって、前記光学箱には、走査光の操作方向に沿って長い矩形状の開口部が形成され、前記集光レンズを、前記開口部の内側に嵌め込み、該開口部を閉鎖したことを特徴とする光走査装置。」
（２）特許請求の範囲の請求項２を次のとおり訂正する。
　「【請求項２】光束を発生する光源と、前記光源からの光束を透過させつつ必要な処理を施すレンズ部材と、前記レンズ部材からの光束を屈曲させて走査光とする偏向部材と、前記偏向部材によって走査光とされた光束を集光する集光レンズと、前記光源、前記レンズ部材、前記偏向部材及び前記集光レンズが個別に取付けられる開口部を有すると共に、これら部材を取付けることによりこの開口部が塞がれて密封状態とされる光学箱と、を有することを特徴とする光走査装置。」
（３）特許請求の範囲の請求項３を次のとおり訂正する。
　「【請求項３】光束を発生する光源と、前記光源からの光束を透過させつつ必要な処理を施すレンズ部材と、前記レンズ部材からの光束を屈曲させて走査光とする偏向部材と、前記偏向部材によって走査光とされた光束を集光する集光レンズと、前記光源、前記レンズ部材、前記偏向部材及び前記集光レンズが外側から取付け位置を調整可能としつつ外側から個別に取付けられる開口部を有すると共に、これら部材を取付けることによりこの開口部が塞がれて密封状態とされる光学箱と、を有することを特徴とする光走査装置。」
（４）【課題を解決するための手段】における
「前記光学箱には、走査光の走査方向に沿って長く開口部が形成され」、「前記光源、前記レンズ部材、前記偏向部材及び前記集光レンズがそれぞれ取付けられる開口部を有すると共に、」、「前記光源、前記レンズ部材、前記偏向部材及び前記集光レンズが外側から取付け位置を調整可能としつつ外側からそれぞれ取付けられる開口部を有すると共に、」を夫々、「前記光学箱には、走査光の走査方向に沿って長い矩形状の開口部が形成され」、「前記光源、前記レンズ部材、前記偏向部材及び前記集光レンズが個別に取付けられる開口部を有すると共に、」、「前記光源、前記レンズ部材、前記偏向部材及び前記集光レンズが外側から取付け位置を調整可能としつつ外側から個別に取付けられる開口部を有すると共に、」に訂正する。
（５）【００１６】の「走査光の走査方向に沿って長く開口部が形成されている。」を、「走査光の走査方向に沿って長い矩形状の開口部が形成されている。」に訂正する。
（６）【００１９】の「偏向部材及び集光レンズが光学箱の開口部にそれぞれ取付けられて」を「偏向部材及び集光レンズが個別に光学箱の開口部に取付けられて」に訂正する。
（７）【００２２】の「光学箱の外側から開口部に取付けられるので」を「光学箱の外側から個別に開口部に取付けられるので」に訂正する。
（５４）【発明の名称】
光走査装置
（５７）【特許請求の範囲】
　【請求項１】　光束を発生する光源及び前記光源からの光束を屈曲させて走査光とする偏向部材が収納されると共に、前記偏向部材によって走査光とされた光束を集光する集光レンズが取付けられる光学箱を有する光走査装置であって、
　前記光学箱には、走査光の走査方向に沿って長
い
の
　前記集光レンズを、前記開口部の内側に嵌め込み、該開口部を閉鎖したことを特徴とする光走査装置。
　　【請求項２】　光束を発生する光源と、
　前記光源からの光束を透過させつつ必要な処理を施すレンズ部材と、
　前記レンズ部材からの光束を屈曲させて走査光とする偏向部材と、
　前記偏向部材によって走査光とされた光束を集光する集光レンズと、
　前記光源、前記レンズ部材、前記偏向部材及び前記集光レンズが
個別に
　を有することを特徴とする光走査装置。
　　【請求項３】　光束を発生する光源と、
　前記光源からの光束を透過させつつ必要な処理を施すレンズ部材と、
　前記レンズ部材からの光束を屈曲させて走査光とする偏向部材と、
　前記偏向部材によって走査光とされた光束を集光する集光レンズと、
　前記光源、前記レンズ部材、前記偏向部材及び前記集光レンズが外側から取付け位置を調整可能としつつ外側から
個別に
　を有することを特徴とする光走査装置。
【発明の詳細な説明】
　【０００１】
　　【産業上の利用分野】
本発明は、画像信号により変調された光束を記録媒体上で走査して画像を記録するレーザビームプリンタ等に用いられる光走査装置に関するものである。
　【０００２】
　　【従来の技術】
例えば、レーザビームプリンタ等の如き装置に於ては、装置の生産性を高いものとし、かつ修理及びメンテナンス等を容易にするために、走査光を生じさせる走査光学装置と、画像情報を担持する感光体を副走査方向に搬送する副走査搬送系とを、それぞれユニット化して形成し、両者を組み合わせて構成されている。
　【０００３】
　図６は、特開昭６０−１２８４１１号公報に開示されたものである。
　この公報に開示された光走査装置１１０は、記録された情報の質を向上するために、光束を発生する光源１１２、この光源１１２からの光束を主走査方向に沿って偏向する偏向部材１１４及び、レンズ１１６などの各種の光学素子と、これらの光学素子を収納して所定の位置で支持する光学定盤となる光学箱１１８と、光学箱１１８の開口部分を塞ぎ光学箱１１８内に塵、挨等が侵入することを防ぐ防塵用の蓋１２０と、から構成される。
　【０００４】
　つまり、このような光走査装置１１０は、前述のように開口された光学箱１１８に、板状の蓋１２０を固定して塞ぐことにより、構成される。ところが、この光学箱１１８は、図示のように大きな開口部分を有する構造であるために、低剛性で強度が低いという欠点が有り、搬送中や装置の設置後等に外部から衝撃を受けると、光学素子の位置関係にずれが生じたり、光学素子に破損や故障を生じてしまう恐れがある。
　【０００５】
　一方、特開平３−２５９１０７号公報や実開昭５９−１４０５７８号等に開示された光走査装置が知られている。
　【０００６】
　図７は、特開平３−２５９１０７号による例を示すものである。
　図７に示すように、この光走査装置１３０は、相互にほぼ同一形状とされる光学箱１３８及び蓋１４０を組み合わせて相互に結合可能な構造とし、これら光学箱１３８と蓋１４０との間に偏向部材１３４及び、レンズ１３６などの光学素子を挟持することで、光学素子を位置決めしつつ保持し、それにより光学箱１３８と蓋１４０の剛性を高めようとするものである。
　【０００７】
　図８及び図９は、実開昭５９−１４０５７８号による例を示すものである。
　この例の光走査装置１５０は、光学箱１５８に蓋１６０を合体させた状態にした後、偏向部材１５４及び、レンズ１５６などの光学素子を組付け、これら光学素子の位置を調整しようとするものであり、これにより組立及び調整時の光学箱１５８の剛性を高めようとするものである。
　【０００８】
　　【発明が解決しようとする課題】
上記の特開平３−２５９１０７号の場合は、特開昭６０−１２８４１１号の光走査装置１１０の欠点を解消できるものの、光学箱１３８及び蓋１４０が共に複雑な形状となり、しかもこれらの部材を組み合わせて結合する必要から、光学箱１３８及び蓋１４０に高精度な寸法精度が要求され、光走査装置の製造コストが上昇する原因となる。
　【０００９】
　また、光学的な位置関係を調整した後、光学素子を挟持するために、光学素子の位置がずれてしまい、調整状態を組立終了時まで維持できない場合がある。
　【００１０】
　一方、実開昭５９−１４０５７８号の場合は、光学箱１５８及び蓋１６０を組立てた状態で光学素子の位置の調整をするので、光学箱１５８だけで調整するよりも光学素子の組付け時の剛性は高くなるが、このような構造によっても光学箱１５８と蓋１６０との間の締結部分付近以外の箇所では、剛性向上の効果は小さいものである。また、これらの図に示されるような板状の大きな蓋１６０では、光学箱１５８と蓋１６０との間に隙間が生じやすくなり、防塵性に劣る。
　【００１１】
　本発明の目的は、上記した欠点を解決し、光学素子の組付け後にこれら光学素子の位置関係に狂いを生じさせないと共に、防塵に優れた光走査装置を低コストに提供することにある。
　【００１２】
　　【課題を解決するための手段】
　請求項１に記載の光走査装置は、光束を発生する光源及び前記光源からの光束を屈曲させて走査光とする偏向部材が収納されると共に、前記偏向部材によって走査光とされた光束を集光する集光レンズが取付けられる光学箱を有する光走査装置であって、前記光学箱には、走査光の走査方向に沿って長
い
の
　【００１３】
　請求項２による光走査装置は、光束を発生する光源と、
　前記光源からの光束を透過させつつ必要な処理を施すレンズ部材と、
　前記レンズ部材からの光束を屈曲させて走査光とする偏向部材と、
　前記偏向部材によって走査光とされた光束を集光する集光レンズと、
　前記光源、前記レンズ部材、前記偏向部材及び前記集光レンズが
個別に
　を有することを特徴とする。
　【００１４】
　請求項３による光走査装置は、光束を発生する光源と、
　前記光源からの光束を透過させつつ必要な処理を施すレンズ部材と、
　前記レンズ部材からの光束を屈曲させて走査光とする偏向部材と、
　前記偏向部材によって走査光とされた光束を集光する集光レンズと、
　前記光源、前記レンズ部材、前記偏向部材及び前記集光レンズが外側から取付け位置を調整可能としつつ外側から
個別に
　を有することを特徴とする。
　【００１５】
　　【作用】
　請求項１に係る光走査装置の作用を以下に説明する。
　【００１６】
　偏向部材が光源からの光束を屈曲させて走査光とし、偏向部材によって走査光とされた光束を集光レンズが集光する。そして、光源及び偏向部材が収納された光学箱には、走査光の走査方向に沿って
長い矩形状の
　【００１７】
　従って、光学箱を塞ぐのに大きな蓋を用いる必要がないので、光学箱に大きな開放部分を設ける必要がなくなり、低剛性とならない。また、蓋の替わりに集光レンズで光学箱の開口部を塞ぐ構造であるので、蓋を用いなくとも、光走査装置の防塵性が高まるだけでなく、集光レンズにより光学箱の剛性が一層高まり、外部から衝撃を受けても、光源、偏向部材及び集光レンズ等の光学素子の位置関係に狂いが生じたり、光学素子に破損や故障を生じる恐れが小さくなる。
　【００１８】
　さらに、蓋が無いことより、光学箱を蓋と組み合わせて結合する必要がなくなり、光学箱に高精度な寸法精度が要求されることが無く、光走査装置を低コストで製造できる。
　【００１９】
　請求項２に係る光走査装置の作用を以下に説明する。
　偏向部材がレンズ部材を介して光源から出射される光束を屈曲させて走査光とし、偏向部材によって走査光とされた光束を集光レンズが集光する。そして、これら光源、レンズ部材、偏向部材及び集光レンズが
個別に
　【００２０】
　従って、光学箱を塞ぐのに大きな蓋を用いる必要がないので、光学箱に大きな開放部分を設ける必要がなくなり、低剛性とならない。また、蓋の替わりに光源、レンズ部材、偏向部材及び集光レンズで光学箱の開口部を塞ぐ構造であるので、蓋を用いなくとも、光走査装置の防塵性が高まるだけでなく、これら光学素子の取付けにより光学箱の剛性が一層高まり、外部から衝撃を受けても、光学素子の位置関係に狂いが生じたり、光学素子に破損や故障を生じる恐れが小さくなる。
　【００２１】
　さらに、蓋が無いことより、光学箱を蓋と組み合わせて結合する必要がなくなり、光学箱に高精度な寸法精度が要求されることが無く、光走査装置を低コストで製造できる。
　【００２２】
　請求項３に係る光走査装置の作用を以下に説明する。
　本請求項によれば、請求項２と同様な作用を奏するが、光源、レンズ部材、偏向部材及び集光レンズが光学箱の外側から取付け位置を調整可能としつつ光学箱の外側から
個別に
　【００２３】
　　【実施例】
　以下に図面を参照して、本発明の一実施例を説明する。
　【００２４】
　図５は本実施例の走査光学装置１０の構成を示す概略図である。この図に示すように、この走査光学装置１０内の光源は、光束を発生する例えば半導体レーザ１２により構成され、この半導体レーザ１２から放射された光束を通過させつつコリメート（つまり、平行光線束にすること）するコリメートレンズ１４が半導体レーザ１２に隣り合って配置されている。そして、この半導体レーザ１２の光軸上に、平行にされた光束を線状にするシリンドリカルレンズ１６及び、矢印方向に回転しつつ光束を屈曲させて走査光とする偏向部材である回転多面鏡１８が配置されている。従って、これらコリメートレンズ１４及びシリンドリカルレンズ１６が半導体レーザ１２からの光束を透過させつつ必要な処理を施すレンズ部材を構成することになる。
　【００２５】
　さらに、この回転多面鏡１８によって偏向された光が送られる感光体２２との間には、集光用の集光レンズ２０が配置されている。
　【００２６】
　従って、画像情報信号に対応して上記半導体レーザ１２を駆動することにより、この画像情報に対応して半導体レーザ１２がレーザビームＬを放出する。そし、コリメートレンズ１４によりコリメートされたレーザビームＬは、シリンドリカルレンズ１６を通過した後、回転多面鏡１８上に線状に結像され、矢印方向　に回転する回転多面鏡１８によって偏向される。偏向されたレーザビームＬは集光レンズ２０によって集光され、レーザビームＬの被走査面となる感光体２２上に結像される。
　【００２７】
　この時、集光レンズ２０は、感光体２２上における走査速度が等速度になるように補正すると共に、回転多面鏡１８の反射面の傾きのばらつきによって生じる感光体２２上の走査位置のずれも補正（面倒れ補正ともいう）する。これによって感光体２２上に上記画像情報に対応する潜像が形成される。
　【００２８】
　尚、感光体２２の周囲には、周知の帯電、現像、転写、クリーニング手段等、周知の画像形成プロセス機器が配置されている。
　【００２９】
　図１は、本実施例の光走査装置１０の分解斜視図であり、図２から図４にこの光走査装置１０の断面図をそれぞれ示す。
　【００３０】
　これらの図に示すように一体成形で合成樹脂等により形成された光学箱２６の一端には、主走査方向Ｓに沿って長い長方形断面の開口部２８が形成されている。そして、この開口部２８内に集光レンズ２０が嵌め込まれて、接着剤または弾性体（図示せず）等によって接着され、この開口部２８が閉鎖された状態で集光レンズ２０が光学箱２６に固定される。
　【００３１】
　また、半導体レーザ１２は、この半導体レーザ１２を駆動する回路を有した基板４２に固定されており、この基板４２には、ネジ４４が挿通される一対の貫通孔４２Ａが形成されている。この為、光学箱２６の側面に形成された開口部３０に半導体レーザ１２を対向させつつ、貫通孔４２Ａに挿通されるネジ４４で、基板４２を光学箱２６の側面にねじ止めして、光学箱２６内に収納された状態で半導体レーザ１２が取付けられる。
　【００３２】
　さらに、コリメートレンズ１４は支持材４６に固定されており、この支持材４６には、ネジ４８が挿通される一対の貫通長孔４６Ａが形成されている。この為、貫通長孔４６Ａに挿通されるネジ４８で、開口部３０に隣接して光学箱２６の上面に形成された開口部３２より光学箱２６内にコリメートレンズ１４を挿入させつつ、支持材４６を光学箱２６の上面にねじ止めして、光学箱２６内に収納された状態でコリメートレンズ１４が取付けられる。
　【００３３】
　そして、シリンドリカルレンズ１６は支持材５０に支持されており、この支持材５０には、ネジ５２が挿通される一対の貫通長孔５０Ａが形成されている。この為、貫通長孔５０Ａに挿通されるネジ５２で、開口部３２と隣り合って光学箱２６の上面に形成された開口部３４より光学箱２６内にシリンドリカルレンズ１６を挿入させつつ、支持材５０を光学箱２６の上面にねじ止めして、光学箱２６内に収納された状態でシリンドリカルレンズ１６が取付けられる。
　【００３４】
　また、回転多面鏡１８は、モータ５４の回転軸に固定されており、このモータ５４により回転されることになる。このモータ５４の四隅には、ネジ５８が挿通される貫通孔５４Ａがそれぞれ形成されている。この為、貫通孔５４Ａに挿通されるネジ５８で、光学箱２６に形成された円形の開口部３６より光学箱２６内に回転多面鏡１８を挿入させつつ、モータ５４を光学箱２６の上面にねじ止めして、光学箱２６内に収納された状態で回転多面鏡１８が取付けられる。
　【００３５】
　これら集光レンズ２０、半導体レーザ１２、コリメートレンズ１４、シリンドリカルレンズ１６及び回転多面鏡１８が、光走査装置１０に取付けられて固定された状態において、光学箱２６の開口部２８、３０、３２、３４、３６は塞がれ、光学箱２６は密閉される。そして、前述のようにこれら部材が作用して、感光体２２上に画像情報に対応する潜像が形成されることになる。
　【００３６】
　次に、本実施例に係る光走査装置１０の組み立てを説明する。
　まず、光学箱２６の外側より集光レンズ２０を光学箱２６の開口部２８に接着等により固定して、この開口部２８を閉鎖すると共に、同じく開口部３６より回転多面鏡１８を光学箱２６に挿入した形でモータ５４を光学箱２６に取付ける。
　【００３７】
　さらに、コリメートレンズ１４とシリンドリカルレンズ１６を外側より光学箱２６にねじ止めして仮固定し、この後、光学箱２６の外側より基板４２を取付け、基板４２をＸ方向（図２に示す）及びＹ方向（図４に示す）に移動させて半導体レーザ１２とコリメートレンズ１４の同軸度調整をし、調整後にネジ４４で光学箱２６に基板４２を介して半導体レーザ１２を固定する。この際、貫通孔４２Ａは、ネジ４４の外径に対して余裕があるので、容易に基板４２がＸ方向及びＹ方向に移動し得ることになる。
　【００３８】
　次に、ネジ４８を緩めてコリメートレンズ１４を半導体レーザ１２の光軸方向であるＦ方向（図４に示す）に動かし、光束の走査方向のフォーカス調整を行い、調整後、ネジ４８で光学箱２６にコリメートレンズ１４を固定する。この際、ネジ４８が挿通される貫通長孔４６Ａは、長孔状とされているので、容易にコリメートレンズ１４を移動することができる。
　【００３９】
　最後に、ネジ５２を緩めてシリンドリカルレンズ１６を半導体レーザ１２のＦ方向に動かし、非走査方向のフォーカス調整を行い、調整後、ネジ５２で光学箱２６にシリンドリカルレンズ１６を固定する。この際、ネジ５２が挿通される貫通長孔５０Ａは、長孔状とされているので、容易にシリンドリカルレンズ１６を移動することができる。
　【００４０】
　本実施例の作用を以下に説明する。
　光学箱２６を塞ぐのに大きな蓋を用いる必要がないので、光学箱２６に大きな開放部分を設ける必要がなくなり、低剛性とならない。また、蓋の替わりに半導体レーザ１２、コリメートレンズ１４、シリンドリカルレンズ１６、回転多面鏡１８及び集光レンズ２０等の光学素子で光学箱２６の開口部２８、３０、３２、３４、３６をそれぞれ塞ぐ構造であるので、光走査装置１０の防塵性が高まるだけでなく、これら光学素子の取付けにより光学箱２６の剛性が一層高まり、外部から衝撃を受けても、光学素子の位置関係に狂いが生じたり、光学素子に破損や故障を生じる恐れが小さくなる。
　【００４１】
　特に、特開昭６０−１２８４１１号公報に開示された光走査装置１１０のように上方に大きな開口部分を有する構造と異なって、主走査方向Ｓに沿って長い長方形状の開口部２８が形成された光学箱２６を採用することにより、従来の光学箱と比較して、同一強度を得るのに１／２の断面積でよくなり、材料コストが低減される。また、同一断面積とした場合、上方に大きな開口を持つ従来の光学箱と比較して、１．５倍の強度が得られるため、同重量で非常に剛性の高い光学箱２６が形成できる。
　【００４２】
　言い換えると、剛性の低い低価格の材料を使用しても、実用に充分足りる光学箱を得ることが可能となる。
　【００４３】
　また、本実施例の場合、図４上、上下面がほぼ対称な断面形状なので、光学箱２６を樹脂で成形する場合、安定して高精度を維持し得ることが可能となる。
　【００４４】
　さらに、蓋が無いことより、光学箱２６を蓋と組み合わせて結合する必要がなくなり、蓋を取り付け際の調整の狂いも発生しないので、光学箱２６に高精度な寸法精度が要求されることが無く、高画質な光走査装置１０を低コストで製造できる。また、本実施例では、組立てによる誤差を調整で吸収できるため、光学素子などの精度を従来のように厳しくする必要もなくなる。
　【００４５】
　一方、半導体レーザ１２、コリメートレンズ１４、シリンドリカルレンズ１６、回転多面鏡１８及び集光レンズ２０が光学箱２６の外側から取付け位置を調整可能としつつ光学箱２６の外側から開口部２８、３０、３２、３４、３６に取付けられるので、容易にこれら光学素子の位置を高精度に調整できる。
　【００４６】
　尚、本実施例において、コリメートレンズ１４、シリンドリカルレンズ１６をレンズ部材としたが、例えば図示しない反射ミラー等をもレンズ部材に含まれることは言うまでもない。
　【００４７】
　【発明の効果】
　以上述べてきたように本発明の光走査装置は、低コストで、光学素子の組付け後にこれら光学素子の位置関係に狂いが生じないと共に、防塵に優れるという優れた効果を有する。
【図面の簡単な説明】
　　【図１】
　本発明の一実施例に係る光走査装置の分解斜視図である。
　　【図２】
　本発明の一実施例に係る光走査装置の断面図である。
　　【図３】
　図２の３−３矢視線断面図である。
　　【図４】
　図２の４−４矢視線断面図である。
　　【図５】
　本発明の一実施例に係る光走査装置の構成を示す概略図である。
　　【図６】
従来の第１の光走査装置を示す断面図である。
　　【図７】
　従来の第２の光走査装置を示す分解斜視図である。
　　【図８】
　従来の第３の光走査装置の断面図である。
　　【図９】
　従来の第３の光走査装置を示す平面図である。
　【符号の説明】
　　　１０　　光走査装置
　　　１２　　半導体レーザ（光源）
　　　１４　　コリメートレンズ（レンズ部材）
　　　１６　　シリンドリカルレンズ（レンズ部材）
　　　１８　　回転多面鏡（偏向部材）
　　　２０　　集光レンズ
　　　２６　　光学箱
　　　２８　　開口部
　　　３０　　開口部
　　　３２　　開口部
　　　３４　　開口部
　　　３６　　開口部